(57)【要約】【課題】敷居溝に異物が混入するのを防止できると共に、敷居溝閉塞体と敷居溝との摩擦を低減することができるエレベータの敷居装置を提供する。【解決手段】エレベータの出入口の下部に設けられた敷居３と、エレベータのドア１の開閉方向に延在するように敷居３に設けられた敷居溝と、ドア１の開閉に伴って敷居溝の内部を移動し、上面で敷居溝の開口部を塞ぐ敷居溝閉塞体４とを備え、敷居溝閉塞体４は、敷居溝の底面と接触する部位の面積が、上面の面積よりも小さい。敷居溝閉塞体４は、ドア１に固定された綱状部材７に固定され、綱状部材７がドア１の開閉に伴って動くことにより、敷居溝の内部を移動するのが望ましい。また、敷居溝閉塞体４は、複数の部分体で構成されてもよく、部分体のそれぞれは、上面で敷居溝の開口部を塞ぎ、敷居溝の底面と接触する部位の面積が、上面の面積よりも小さい。【選択図】図２
2013180849.tif 000002
【特許請求の範囲】
【請求項１】
エレベータの出入口の下部に設けられた敷居と、
前記エレベータのドアの開閉方向に延在するように前記敷居に設けられた敷居溝と、
前記ドアの開閉に伴って前記敷居溝の内部を移動し、上面で前記敷居溝の開口部を塞ぐ敷居溝閉塞体とを備え、
前記敷居溝閉塞体は、前記敷居溝の底面と接触する部位の面積が、前記上面の面積よりも小さいことを特徴とするエレベータの敷居装置。
【請求項２】
請求項１記載のエレベータの敷居装置において、
前記敷居溝閉塞体は、前記ドアに固定された綱状部材に固定され、前記綱状部材が前記ドアの開閉に伴って動くことにより、前記敷居溝の内部を移動するエレベータの敷居装置。
【請求項３】
請求項１記載のエレベータの敷居装置において、
前記敷居溝閉塞体は、前記敷居溝の底面と接触する前記部位の形状が曲面であるエレベータの敷居装置。
【請求項４】
請求項１記載のエレベータの敷居装置において、
前記敷居溝閉塞体は、前記敷居溝の底面と接触する前記部位の形状が、長さ方向が前記敷居溝の延在方向である線状であるエレベータの敷居装置。
【請求項５】
請求項４記載のエレベータの敷居装置において、
前記敷居溝閉塞体は、前記敷居溝の延在方向に平行な２つの側面と、２つの平面で構成される底面とを備え、前記平面が交わる部分が、前記敷居溝の底面と接触する前記部位を形成するエレベータの敷居装置。
【請求項６】
請求項４記載のエレベータの敷居装置において、
前記敷居溝閉塞体は、前記敷居溝の延在方向に平行な２つの平面を備え、前記平面が交わる部分が、前記敷居溝の底面と接触する前記部位を形成するエレベータの敷居装置。
【請求項７】
請求項１記載のエレベータの敷居装置において、
前記敷居溝閉塞体は、複数の部分体で構成され、
前記部分体のそれぞれは、上面で前記敷居溝の開口部を塞ぎ、前記敷居溝の底面と接触する前記部位の面積が、前記上面の面積よりも小さいエレベータの敷居装置。
【請求項８】
請求項７記載のエレベータの敷居装置において、
前記部分体のそれぞれは、前記ドアに固定された綱状部材に固定され、前記綱状部材が前記ドアの開閉に伴って動くことにより、前記敷居溝の内部を移動するエレベータの敷居装置。
【請求項９】
請求項７記載のエレベータの敷居装置において、
前記部分体のうち少なくとも１つは、前記敷居溝の底面と接触する前記部位の形状が曲面であるエレベータの敷居装置。
【請求項１０】
請求項７記載のエレベータの敷居装置において、
前記部分体のうち少なくとも１つは、前記敷居溝の底面と接触する前記部位の形状が、長さ方向が前記敷居溝の延在方向である線状であるエレベータの敷居装置。
【請求項１１】
請求項１０記載のエレベータの敷居装置において、
前記部分体のうち少なくとも１つは、前記敷居溝の延在方向に平行な２つの側面と、２つの平面で構成される底面とを備え、前記平面が交わる部分が、前記敷居溝の底面と接触する前記部位を形成するエレベータの敷居装置。
【請求項１２】
請求項１０記載のエレベータの敷居装置において、
前記部分体のうち少なくとも１つは、前記敷居溝の延在方向に平行な２つの平面を備え、前記平面が交わる部分が、前記敷居溝の底面と接触する前記部位を形成するエレベータの敷居装置。
【請求項１３】
請求項７記載のエレベータの敷居装置において、
前記部分体のうち少なくとも１つは、前記敷居溝の底面と接触する前記部位の形状が点状であるエレベータの敷居装置。
【請求項１４】
請求項１３記載のエレベータの敷居装置において、
前記部分体のうち少なくとも１つは、４つの側面と、四角錐状の底面とを備え、前記四角錐状の底面の頭頂点が前記敷居溝の底面と接触する前記部位であるエレベータの敷居装置。
【請求項１５】
請求項１３記載のエレベータの敷居装置において、
前記部分体のうち少なくとも１つは、四角錐状であり、前記四角錐状の頭頂点が前記敷居溝の底面と接触する前記部位であるエレベータの敷居装置。
【請求項１６】
請求項１から６のいずれか１項記載のエレベータの敷居装置において、
前記敷居溝閉塞体は、前記敷居溝の底面と接触する回転体を備えるエレベータの敷居装置。
【請求項１７】
請求項７から１５のいずれか１項記載のエレベータの敷居装置において、
前記部分体のうち少なくとも１つは、前記敷居溝の底面と接触する回転体を備えるエレベータの敷居装置。
【請求項１８】
請求項１６または１７記載のエレベータの敷居装置において、
前記回転体は、少なくとも表面が弾性体で構成されるエレベータの敷居装置。
【請求項１９】
請求項１から１８のいずれか１項記載のエレベータの敷居装置において、
前記エレベータは、前記ドアが片開き式であるエレベータの敷居装置。
【発明の詳細な説明】
【技術分野】
【０００１】
本発明は、エレベータの出入口の敷居装置に関する。
【背景技術】
【０００２】
エレベータの出入口では、かごや乗場の上部に案内レールが設けられ、この案内レールにエレベータのドアが吊り下げられる。かごや乗場の床面には、敷居が設けられる。敷居は溝（敷居溝）を有し、この敷居溝にドアシューが案内される。ドアシューは、ドアの下端部に、下方へ突出するように設けられ、敷居溝にはめ込まれる。これらの機構により、エレベータのドアは、円滑に移動して開閉する。
【０００３】
敷居溝は、上方に開口しており、異物が混入するとドアの開閉動作が円滑に行われず、ドアが動作不良となる恐れがある。敷居溝への異物の混入を防ぐ方法として、特許文献１には、ドアシューをベルト状に敷居溝に配置し、ドアの開閉に追従して敷居溝内を摺動させることで、敷居溝を常時遮蔽する技術が開示されている。
【先行技術文献】
【特許文献】
【０００４】
【特許文献１】特開２０１１−６２１４号公報
【発明の概要】
【発明が解決しようとする課題】
【０００５】
特許文献１に記載の技術のように、敷居溝への異物の混入を防ぐために、敷居溝を遮蔽する（閉塞する）方法は効果的である。より効果的に敷居溝への異物の混入を防ぐためには、敷居溝を閉塞する部材（敷居溝閉塞体）は、敷居溝の側面と隙間なく接触する必要がある。一方、敷居溝閉塞体には、利用者がエレベータに乗り降りする際に、杖や傘の先端または靴の踵による圧力が加わる。このため、敷居溝閉塞体は、敷居溝の底面と接触することで、利用者による圧力を安定的に受け止めている。
【０００６】
このように、敷居溝閉塞体は、敷居溝の側面や底面と接触しつつ、ドアの開閉と共に敷居溝内を摺動する。このため、敷居溝閉塞体と敷居溝は、互いの摩擦により劣化が進行する。敷居溝閉塞体と敷居溝が劣化すると、ドアの開閉動作が円滑に行われずに動作不良となったり、ドアの開閉時に異音が発生したりして、エレベータの不具合となることがある。
【０００７】
本発明は、敷居溝に異物が混入するのを防止できると共に、敷居溝閉塞体と敷居溝との摩擦を低減することができるエレベータの敷居装置を提供することを目的とする。
【課題を解決するための手段】
【０００８】
本発明によるエレベータの敷居装置は、以下のような特徴を有する。エレベータの出入口の下部に設けられた敷居と、前記エレベータのドアの開閉方向に延在するように前記敷居に設けられた敷居溝と、前記ドアの開閉に伴って前記敷居溝の内部を移動し、上面で前記敷居溝の開口部を塞ぐ敷居溝閉塞体とを備え、前記敷居溝閉塞体は、前記敷居溝の底面と接触する部位の面積が、前記上面の面積よりも小さい。
【発明の効果】
【０００９】
本発明によるエレベータの敷居装置では、敷居溝に異物が混入するのを防止できると共に、敷居溝閉塞体と敷居溝との摩擦を低減することができ、ドアの開閉時の動作不良や異音の発生を防止することができる。
【図面の簡単な説明】
【００１０】
【図１】本発明の実施例によるエレベータの敷居装置の正面図であり、ドアが閉じている状態を示す図である。
【図２】本発明の実施例によるエレベータの敷居装置の正面図であり、ドアが開いている状態を示す図である。
【図３】敷居溝閉塞体に閉塞された敷居溝の断面図であり、敷居溝閉塞体の第１の形状を示す図である。
【図４】敷居溝閉塞体に閉塞された敷居溝の断面図であり、敷居溝閉塞体の第２の形状を示す図である。
【図５】敷居溝閉塞体に閉塞された敷居溝の断面図であり、敷居溝閉塞体の第３の形状を示す図である。
【図６】敷居溝閉塞体が複数の独立した部品（部分体）で構成されているエレベータの敷居装置の正面図であり、ドアが閉じている状態を示す図である。
【図７】敷居溝閉塞体が複数の独立した部品（部分体）で構成されているエレベータの敷居装置の正面図であり、ドアが開いている状態を示す図である。
【図８】敷居溝閉塞体に閉塞された敷居溝の断面図であり、下部にローラが設けられた、第１の形状の敷居溝閉塞体を示す図である。
【発明を実施するための形態】
【００１１】
以下、本発明の実施例によるエレベータの敷居装置を、図面を用いて説明する。なお、エレベータのドアは、かごと乗場の少なくとも一方に設けられるが、以下に説明する敷居装置は、かごと乗場のどちらのドアにも適用することができる。
【００１２】
図１は、本発明の実施例によるエレベータの敷居装置の正面図であり、ドアが閉じている状態を示している。本実施例でのエレベータは、２枚戸片開き式であり、２枚のドア１を備える。以下では、一方のドア１についてのみ説明するが、もう一方のドア１についても同様の説明が当てはまる。なお、本発明によるエレベータの敷居装置は、ドアが片開き式のエレベータに適用でき、ドアの数には制限がない。従って、ドアが１枚のエレベータや３枚以上のエレベータであってもよい。
【００１３】
図２は、本発明の実施例によるエレベータの敷居装置の正面図であり、説明の便宜のために１つのドア１のみを示している。図２では、ドア１が開いた状態を示している。すなわち、ドア１は戸袋側に位置している。従って、図１と図２において、向かって右側が戸袋側であり、左側が戸当側である。
【００１４】
ドア１は、エレベータの出入口の上部に設けられた案内レール（図示せず）に、開閉移動可能に吊り下げられている。ドア１の下端部には、下方へ突出するようにドアシュー２が設けられている。エレベータの出入口の下部には、敷居３が設けられている。敷居３は、ドア１の開閉方向（図１、図２の左右方向）に延在し、上方に開口してドアシュー２を案内する敷居溝（図示せず）を有する。ドアシュー２は、敷居溝にはめ込まれており、敷居３に沿ってドア１を開閉方向に移動させる。
【００１５】
敷居３の延在方向（敷居溝の延在方向）の一端の下方にはドア１の戸袋側のローラ６が、他端の下方にはドア１の戸当側のローラ５が、一対となって設けられている。戸袋側のローラ６は、回転して、綱状部材である閉塞体誘導ロープ７を誘導する。閉塞体誘導ロープ７には、敷居溝閉塞体４が固定されている。戸当側のローラ５は、敷居溝閉塞体４と接触しており、回転して敷居溝閉塞体４を、敷居３の下方から敷居溝へ、または敷居溝から敷居３の下方へ誘導する。
【００１６】
閉塞体誘導ロープ７は、輪状になっており、ドア１の戸袋側の下端部に設けられたロープ固定部８に固定されている。従って、閉塞体誘導ロープ７は、ドア１の開閉の動きと連動して動く。
【００１７】
敷居溝閉塞体４は、閉塞体誘導ロープ７に固定され、上面で敷居３の敷居溝の開口部を塞ぎ、上方に開口している敷居溝に異物が混入するのを防止する。従って、閉塞体誘導ロープ７がドア１の開閉の動きと連動して動くと、敷居溝閉塞体４も、閉塞体誘導ロープ７と共にドア１の開閉の動きと連動して、敷居溝の内部を移動する。敷居溝閉塞体４は、ドア１が完全に開いたときも敷居溝を隙間なく塞ぐことができるように、敷居溝に沿って配置される。図２の例では、敷居溝閉塞体４は、ドア１の戸当側から戸当側のローラ５の下方まで配置されている。ドア１が閉じているときは、図１に示すように、敷居溝閉塞体４の一部は、敷居３の下方に収納される。
【００１８】
ドア１が開くときには、敷居溝閉塞体４は、ドア１の開く方向（戸袋側の方向、すなわち図１、図２の右方向）に向かって、ドア１の動きと共に、戸当側のローラ５に案内されて敷居溝を移動する。図２に示すようにドア１が完全に開いた状態、つまり利用者が乗り降りする状態では、敷居溝閉塞体４が敷居溝を隙間なく塞ぎ、敷居溝に異物が混入するのを防止すると共に、利用者の通行に支障がないようにする。
【００１９】
利用者の乗り降りが完了した後、ドア１は、戸当側に動いて閉じる。ドア１が閉じるときには、敷居溝閉塞体４は、ドア１の動きと共に、ドア１の閉じる方向（戸当側の方向、すなわち図１、図２の左方向）に向かって、戸当側のローラ５に案内されて敷居溝を移動し、一部が敷居３の戸当側の下方に収納される（図１参照）。
【００２０】
閉塞体誘導ロープ７は、ドア１に引っ張られ、固定した敷居溝閉塞体４を移動させることができるような強度を持つ綱状部材であればよく、例えば、ロープ、ワイヤー、または紐などを用いることができる。
【００２１】
敷居溝閉塞体４の形状について説明する。敷居溝閉塞体４は、帯状（ベルト状）の１つの部品で構成してもよいし、後述するように複数の部品（部分体）で構成してもよい。また、後述するように、敷居溝閉塞体４の下部に、ローラなどの回転体を設けてもよい。
【００２２】
敷居溝閉塞体４の上面は、利用者がエレベータに乗り降りする際の圧力（杖や傘の先端または靴の踵による圧力）が加わる面であり、敷居溝に異物が混入するのを防止する蓋としての役割を果たす面である。敷居溝閉塞体４の底面は、敷居溝の底面と接触する面である。敷居溝閉塞体４において、敷居溝の底面と接触する部位の面積（接触面積）を、敷居溝閉塞体４の上面の面積よりも小さくする。すなわち、敷居溝閉塞体４は、敷居溝の底面との接触面積が、上面の面積よりも小さい形状である。このような形状にすることにより、敷居溝閉塞体４が敷居溝の底面と接触しつつ敷居溝内を摺動しても、敷居溝閉塞体４と敷居溝との接触面積を小さくすることができ、敷居溝閉塞体４と敷居溝との摩擦を低減することができる。従って、敷居溝閉塞体４と敷居溝との摩擦による劣化の進行を防止することができる。
【００２３】
以下、敷居溝閉塞体４の形状の具体例について、図面を用いて説明する。
【００２４】
図３は、敷居溝閉塞体４に閉塞された敷居溝１０の断面図であり、敷居溝閉塞体４の第１の形状を示す図である。敷居３に設けられた敷居溝１０には、閉塞体誘導ロープ７に固定された敷居溝閉塞体４が、敷居溝１０の開口部を塞ぐように配置されている。
【００２５】
敷居溝閉塞体４は、上面と、敷居溝１０の延在方向（図３において、紙面に垂直な方向）に平行な２つの側面と、底面とを有する。敷居溝閉塞体４の底面は、形状が曲面であり、敷居溝１０の底面と接触している。すなわち、敷居溝閉塞体４は、敷居溝１０の底面との接触面が曲面である。このような形状にすることにより、敷居溝閉塞体４において、敷居溝１０の底面との接触面積を、敷居溝閉塞体４の上面の面積よりも小さくすることができる。
【００２６】
図４は、敷居溝閉塞体４に閉塞された敷居溝１０の断面図であり、敷居溝閉塞体４の第２の形状を示す図である。図４において、図３と同一の符号は、図３と同一の構成要素を示す。
【００２７】
敷居溝閉塞体４は、上面と、敷居溝１０の延在方向に平行な２つの側面と、底面とを有する。敷居溝閉塞体４の底面は２つの平面から構成され、これらの平面の交線に相当する部位で敷居溝１０の底面と接触している。すなわち、敷居溝閉塞体４の、敷居溝１０の底面との接触面は、線状の面（長さ方向は、敷居溝１０の延在方向）である。このような形状にすることにより、敷居溝閉塞体４において、敷居溝１０の底面との接触面積を、敷居溝閉塞体４の上面の面積よりも小さくすることができる。図４に示した敷居溝閉塞体４は、図３に示した敷居溝閉塞体４と比べると、敷居溝１０の底面との接触面積をさらに小さくすることができるので、敷居溝閉塞体４と敷居溝１０との摩擦を低減する効果がさらに大きくなるという利点を持つ。
【００２８】
図５は、敷居溝閉塞体４に閉塞された敷居溝１０の断面図であり、敷居溝閉塞体４の第３の形状を示す図である。図５において、図３と同一の符号は、図３と同一の構成要素を示す。
【００２９】
敷居溝閉塞体４は、上面と、敷居溝１０の延在方向に平行な２つの平面とを有する。この２つの平面は、敷居溝閉塞体４の側面となり、これらの平面の交線に相当する部位で敷居溝１０の底面と接触している。すなわち、敷居溝閉塞体４の底面は、これらの２つの平面が交わる部分で構成される。従って、図５に示した敷居溝閉塞体４の、敷居溝１０の底面との接触面は、図４に示した敷居溝閉塞体４と同様に、線状の面（長さ方向は、敷居溝１０の延在方向）である。このような形状にすることにより、敷居溝閉塞体４において、敷居溝１０の底面との接触面積を、敷居溝閉塞体４の上面の面積よりも小さくすることができる。図５に示した敷居溝閉塞体４は、図３に示した敷居溝閉塞体４と比べると、敷居溝１０の底面との接触面積をさらに小さくすることができ、かつ、図４に示した敷居溝閉塞体４と比べると、敷居溝１０の側面との接触面積をさらに小さくすることができるので、敷居溝閉塞体４と敷居溝１０との摩擦を低減する効果がさらに大きくなるという利点を持つ。
【００３０】
なお、図５に示した敷居溝閉塞体４は、閉塞体誘導ロープ７に固定されており、敷居溝１０の側面と接触しているので、上面に圧力が加わっても不安定になることはない。
【００３１】
敷居溝閉塞体４は、複数の独立した部品（部分体）で構成するようにしてもよい。例えば、敷居溝閉塞体４が帯状（ベルト状）の１つの部品で構成されていると、摩耗や破損したときの交換作業など、敷居溝閉塞体４のメンテナンスに要する時間が長くなる場合があり、エレベータの利用停止期間が長くなる可能性がある。そこで、敷居溝閉塞体４を複数の独立した部品（部分体）で構成すると、摩耗や破損した部品（部分体）のみを取り換えることが可能であり、メンテナンスが容易になる。従って、メンテナンスに要する時間やエレベータの利用停止期間を短縮することができる。
【００３２】
敷居溝閉塞体４を複数の独立した部品で構成する場合、敷居溝閉塞体４を構成する部品のそれぞれは、図３〜図５に示した形状のうちいずれか１つの形状を有し、敷居溝１０に異物が混入するのを防ぐために、互いの隙間がないように閉塞体誘導ロープ７に固定される。そして、閉塞体誘導ロープ７がドア１の開閉に伴って動くことにより、敷居溝閉塞体４を構成する部品のそれぞれは、敷居溝１０の内部を移動する。敷居溝閉塞体４を構成する部品は、全てが同じ形状でもよいし、複数の形状が混在していてもよい。
【００３３】
図６と図７は、敷居溝閉塞体４が複数の独立した部品で構成されているエレベータの敷居装置を示す図である。図６は、図１に対応しており、エレベータの敷居装置の正面図で、ドアが閉じている状態を示している。図７は、図２に対応しており、エレベータの敷居装置の正面図で、１つのドア１のみを示し、ドア１が開いた状態を示している。図６と図７において、図１及び図２と同一の符号は、図１及び図２と同一の構成要素を示す。
【００３４】
敷居溝閉塞体４が複数の独立した部品で構成されている場合でも、敷居溝閉塞体４を構成する部品は、それぞれが図３〜図５に示した形状のいずれかの形状を有しているので、上面で敷居溝１０の開口部を塞ぐことができると共に、敷居溝閉塞体４と敷居溝１０との接触面積を小さくすることができ、敷居溝閉塞体４と敷居溝１０との摩擦を低減することができる。
【００３５】
敷居溝閉塞体４が複数の独立した部品で構成されている場合には、敷居溝閉塞体４を構成する部品の形状を、次に述べる２つの形状のいずれかにしてもよい。
【００３６】
１つ目の形状について説明する。敷居溝閉塞体４を構成する部品は、上面と、４つの側面と、底面とを有する。底面は、四角錐状であり、四角錐の頭頂点に相当する部位で敷居溝１０の底面と接触する。すなわち、敷居溝閉塞体４を構成する部品の、敷居溝１０の底面との接触面は、点状の面である（この敷居溝閉塞体４を構成する部品の側面図は、図４に示した敷居溝閉塞体４の断面図と同様になる）。敷居溝閉塞体４を構成する部品をこのような形状にすることにより、敷居溝閉塞体４において、敷居溝１０の底面との接触面積を、敷居溝閉塞体４の上面の面積よりも小さくすることができ、敷居溝閉塞体４と敷居溝１０との摩擦を低減することができる。
【００３７】
２つ目の形状について説明する。敷居溝閉塞体４を構成する部品は、上面と４つの平面とを有する四角錐状である。４つの平面は、敷居溝閉塞体４を構成する部品の側面となり、これらの平面の交点（四角錐の頭頂点）に相当する部位で敷居溝１０の底面と接触する。すなわち、敷居溝閉塞体４を構成する部品の、敷居溝１０の底面との接触面は、点状の面である（この敷居溝閉塞体４を構成する部品の側面図は、図５に示した敷居溝閉塞体４の断面図と同様になる）。敷居溝閉塞体４を構成する部品をこのような形状にすることにより、敷居溝閉塞体４において、敷居溝１０の底面との接触面積を、敷居溝閉塞体４の上面の面積よりも小さくすることができ、かつ、敷居溝１０の側面との接触面積を小さくすることができ、敷居溝閉塞体４と敷居溝１０との摩擦を低減することができる。
【００３８】
なお、この形状の敷居溝閉塞体４を構成する部品は、図５に示した敷居溝閉塞体４と同様に、閉塞体誘導ロープ７に固定されており、敷居溝１０の側面と接触しているので、上面に圧力が加わっても不安定になることはない。
【００３９】
敷居溝閉塞体４は、上面に圧力が加わるため、ある程度の強度または弾性力が必要である。また、ドア１の開閉をスムーズにするために、軽量であることが望ましい。敷居溝閉塞体４が帯状（ベルト状）の１つの部品で構成されている場合には、戸当側のローラ５（図１、図２参照）に沿って滑らかに折れ曲がることができる素材で形成されていることが望ましい。このような素材の例として、ゴムなどの弾性材料を挙げることができる。また、敷居溝閉塞体４を複数の独立した部品で構成する場合には、ゴムなどの弾性材料の他に、プラスチックまたはアルミなどの樹脂や金属を素材として用いることができる。
【００４０】
敷居溝閉塞体４には、下部に回転体を設け、この回転体を敷居溝１０の底面と接触させてもよい。以下、敷居溝閉塞体４の下部に回転体を設けた例を説明する。以下では、回転体としてローラ（閉塞体ローラ）を設けた例を説明する。回転体としては、ローラのような車輪状や円筒状のもの以外にも、球状のものを用いることができる。
【００４１】
図８は、敷居溝閉塞体４に閉塞された敷居溝１０の断面図である。敷居溝閉塞体４は、図３に示した第１の形状であり、下部には閉塞体ローラ９が設けられている。閉塞体ローラ９は、敷居溝１０の底面と接触している。すなわち、敷居溝閉塞体４は、閉塞体ローラ９により、敷居溝１０の底面と接触する。閉塞体ローラ９は、敷居溝１０の底面との接触面積が、敷居溝閉塞体４の上面の面積よりも小さい。閉塞体ローラ９は、敷居溝閉塞体４の上面に圧力が加わっても破損しないように、少なくとも表面がゴムや樹脂などの弾性体で構成される。
【００４２】
敷居溝閉塞体４がドア１の開閉と共に敷居溝１０を移動するとき、閉塞体ローラ９は、回転して敷居溝閉塞体４の移動を容易にする。閉塞体ローラ９により、敷居溝閉塞体４と敷居溝１０との摩擦をさらに低減することができる。
【００４３】
閉塞体ローラ９は、図４及び図５に示した形状の敷居溝閉塞体４の下部に設けることもできる。敷居溝閉塞体４を帯状（ベルト状）の１つの部品で構成する場合には、敷居溝閉塞体４に複数の閉塞体ローラ９を設ける。敷居溝閉塞体４を複数の独立した部品で構成する場合には、敷居溝閉塞体４を構成する部品のそれぞれに閉塞体ローラ９を設ける。１つの部品に設ける閉塞体ローラ９の数は、敷居溝閉塞体４を構成する部品の大きさに依存する。１つの部品に対して、１つの閉塞体ローラ９を設けてもよく、複数の閉塞体ローラ９を設けてもよい。
【符号の説明】
【００４４】
１…ドア、２…ドアシュー、３…敷居、４…敷居溝閉塞体、５…戸当側のローラ、６…戸袋側のローラ、７…閉塞体誘導ロープ、８…ロープ固定部、９…閉塞体ローラ、１０…敷居溝。
【図１】
2013180849.tif 000003
【図２】
2013180849.tif 000004
【図３】
2013180849.tif 000005
【図４】
2013180849.tif 000006
【図５】
2013180849.tif 000007
【図６】
2013180849.tif 000008
【図７】
2013180849.tif 000009
【図８】
2013180849.tif 000010